(57)【要約】      （修正有）【課題】草根を切断して発根を促したり、家畜糞を拡散して養分を均等化できることはもとより、フレーム本体が地面に接触するのを防止し、フレーム本体や作業機との連結部分の破損、牧草等の生育状態の悪化、および作業者の身体に障害や体調不良等の悪影響を防止することができるパスチャーハローを提供する。【解決手段】作業機の後部に固定されるフレーム本体２と、このフレーム本体２に吊り下げられて略平面状に連結されたチェーンに複数の切断刃３２を取り付けてなるハロー部３とを有し、前記フレーム本体２の後部が上方へ傾斜されている。【選択図】図１
0003164903.tif 000002
【実用新案登録請求の範囲】
【請求項１】
作業機の後部に固定されるフレーム本体と、このフレーム本体に吊り下げられて略平面状に連結されたチェーンに複数の切断刃を取り付けてなるハロー部とを有し、前記フレーム本体の後部が上方へ傾斜されているパスチャーハロー。
【請求項２】
前記フレーム本体は、前記ハロー部を吊り下げる前方フレームと、前記ハロー部で掻かれた地面を整地する整地チェーン部を吊り下げる後方フレームとから構成されており、前記後方フレームが前記前方フレームに対して所定の傾斜角度で上方に傾斜されて固定されている請求項１に記載のパスチャーハロー。
【請求項３】
前記整地チェーン部は、平面視で略多角形のリング状に形成され、かつ、リング断面が略多角形状に形成された角形リングを多数連結させて平面状に形成してなる請求項２に記載のパスチャーハロー。
【請求項４】
前記整地チェーン部の後端部には、前記ハロー部および前記整地チェーン部を平面状に保持するバランスウェートが幅方向に所定の間隔を隔てて複数設けられている請求項２または請求項３に記載のパスチャーハロー。
【考案の詳細な説明】
【技術分野】
【０００１】
本考案は、草地や放牧地等において、牧草を再生するのに使用されるパスチャーハローに関するものである。
【背景技術】
【０００２】
従来、草地や放牧地では、作業機や家畜による経年の踏圧により土壌が踏み固められて通気性や通水性が悪化するため、牧草の生産力が減退することが知られている。この問題を解決するものとして、たとえば、社団法人日本農業機械化協会発行の「農業機械・施設ガイドブック」には、チェーン構造の格子点に小さな切断刃を取り付けたチェーンハローの一種として、パスチャーハローが記載されている（非特許文献１）。
【先行技術文献】
【非特許文献】
【０００３】
【非特許文献１】「農業機械・施設ガイドブック」社団法人日本農業機械化協会発行，第１７頁
【考案の概要】
【考案が解決しようとする課題】
【０００４】
しかしながら、従来のパスチャーハローにおいては、地面を掻いて草根を切断するためのハロー部を有するフレーム本体が、作業機の後方から直線状に延出された状態で固定され、牽引されるようになっている。このため、凹凸の多い草地や放牧地、あるいは傾斜面等では、フレーム本体の後端部が地面に頻繁に接触し、以下のような問題を発生させてしまう。
【０００５】
１．接触時の衝撃により、フレーム本体が折れ曲がったり、フレーム本体と作業機との連結部分が破損してしまう。
２．フレーム本体の後端部が、必要以上に地面を深く掘り起こしてしまい、却って牧草等の生育状態を悪化させてしまう。
３．作業機を運転する作業者への衝撃が大きく、乗り物酔いや鞭打ち症等、身体に障害や体調不良等の悪影響を及ぼすおそれがある。
【０００６】
本考案は、このような問題点を解決するためになされたものであって、草根を切断して発根を促したり、家畜糞を拡散して養分を均等化できることはもとより、フレーム本体が地面に接触するのを防止し、フレーム本体や作業機との連結部分の破損、牧草等の生育状態の悪化、および作業者の身体に障害や体調不良等の悪影響を防止することができるパスチャーハローを提供することを目的としている。
【課題を解決するための手段】
【０００７】
本考案に係るパスチャーハローは、作業機の後部に固定されるフレーム本体と、このフレーム本体に吊り下げられて略平面状に連結されたチェーンに複数の切断刃を取り付けてなるハロー部とを有し、前記フレーム本体の後部が上方へ傾斜されている。
【０００８】
また、本考案の一態様として、前記フレーム本体は、前記ハロー部を吊り下げる前方フレームと、前記ハロー部で掻かれた地面を整地する整地チェーン部を吊り下げる後方フレームとから構成されており、前記後方フレームが前記前方フレームに対して所定の傾斜角度で上方に傾斜されて固定される態様を採用してもよい。
【０００９】
さらに、本考案の一態様として、前記整地チェーン部は、平面視で略多角形のリング状に形成され、かつ、リング断面が略多角形状に形成された角形リングを多数連結させて平面状に形成してなる態様を採用してもよい。
【００１０】
また、本考案の一態様として、前記整地チェーン部の後端部には、前記ハロー部および前記整地チェーン部を平面状に保持するバランスウェートが幅方向に所定の間隔を隔てて複数設けられる態様を採用してもよい。
【考案の効果】
【００１１】
本考案によれば、草根を切断して発根を促したり、家畜糞を拡散して養分を均等化できることはもとより、フレーム本体が地面に接触するのを防止し、フレーム本体や作業機の破損、牧草等の生育状態の悪化、および作業者の身体への障害や体調不良等の悪影響を防止することができる。
【図面の簡単な説明】
【００１２】
【図１】本考案に係るパスチャーハローの一実施形態を示す斜視図である。
【図２】本実施形態のパスチャーハローを示す側面図である。
【図３】本実施形態のパスチャーハローを示す平面図である。
【図４】本実施形態における整地チェーン部の一部を示す拡大斜視図である。
【図５】本実施形態のパスチャーハローを用いた作業状態を示す側面図である。
【図６】本実施形態のパスチャーハローの格納状態を示す斜視図である。
【図７】本実施形態のパスチャーハローを折り畳んで最小化した状態を示す斜視図である。
【考案を実施するための形態】
【００１３】
以下、本考案に係るパスチャーハローの一実施形態について図面を用いて説明する。
【００１４】
本実施形態のパスチャーハロー１は、図１から図３に示すように、主として、作業機１０の後部に固定されるフレーム本体２と、地面を掻いて草根を切断するハロー部３と、このハロー部３で掻かれた地面を整地する整地チェーン部４と、前記ハロー部３および前記整地チェーン部４を平面状に保持するバランスウェート５とから構成されている。以下、各構成部について詳細に説明する。
【００１５】
フレーム本体２は、ハロー部３および整地チェーン部４を地面に沿って展張させた状態に支持するためのものである。本実施形態において、フレーム本体２は、金属製パイプ等から形成されており、図１から図３に示すように、ハロー部３を吊り下げる前方フレーム２１と、整地チェーン部４を吊り下げる後方フレーム２２とを有している。
【００１６】
前方フレーム２１は、図１から図３に示すように、作業機１０の後部に取り付けられる固定部２３を備えた中央フレーム２１ａと、この中央フレーム２１ａの左右にそれぞれ設けられ、油圧シリンダ２４によって折り畳み可能な一対のサイドフレーム２１ｂ，２１ｂで構成されている。また、後方フレーム２２は、図１および図３に示すように、中央フレーム２１ａの後端部および左右の各サイドフレーム２１ｂ，２１ｂの後端部にそれぞれ設けられている。これら各後方フレーム２２は、図１および図２に示すように、前方フレーム２１に対して所定の傾斜角度で上方に傾斜された状態で、一対の補助フレーム２６によって固定されている。
【００１７】
また、図２および図３に示すように、中央フレーム２１ａの前端部および左右のサイドフレーム２１ｂ，２１ｂの前端部には、ハロー部３を吊り下げるための吊下チェーン２５ａが設けられている。さらに、中央フレーム２１ａおよび左右のサイドフレーム２１ｂ，２１ｂの各後端部と、それぞれの後方フレーム２２の後端部とには、整地チェーン部４を吊り下げるための吊下チェーン２５ｂ，２５ｂが設けられている。
【００１８】
また、図２，図３，図６および図７に示すように、中央フレーム２１ａの前方両端部および後方両端部には、左右のサイドフレーム２１ｂ，２１ｂを折り畳んだ際に地面に立てて支持しうる４本の支持脚２７が設けられている。これらの支持脚２７は、図１および図２に示すようなサイドフレーム２１ｂ，２１ｂを拡げたときに上方へ回動されて収容される収容位置と、図６および図７に示すようなサイドフレーム２１ｂ，２１ｂを折り畳んだ際に下方へ回動されて地面に立てられる自立位置とを切り換えられる。
【００１９】
なお、本実施形態において、前方フレーム２１に対する後方フレーム２２の傾斜角度は、畑地造成時の基準値である７°を参考として約１０°に設定している。しかしながら、当該傾斜角度は、作業対象となる草地や放牧地の傾斜に合わせて適宜増減させてよい。また、本実施形態では、フレーム本体２が前方フレーム２１と後方フレーム２２とに分けて構成されているが、必ずしも前後に分けられている必要はなく、適当な大きさのフレーム本体２を採用し、その後部が上方へ傾斜された構成にしてもよい。
【００２０】
なお、本考案において、「フレーム本体２の後部が上方へ傾斜されている」とは、フレーム本体２の後部が、前部に対して直線的に上方へ傾斜されている状態はもとより、これに限られるものではない。すなわち、フレーム本体２の後部が、前部に対して徐々に曲線を描きながら上方へ湾曲されて傾斜状態になっていてもよく、フレーム本体２の後端部が、前端部に対して持ち上がっている様々な状態を含む概念である。
【００２１】
つぎに、ハロー部３は、草地や放牧地の地中に差し込まれ、マット状に張り巡らされている牧草等の根を切断するものである。本実施形態において、ハロー部３は、図１から図３に示すように、略三角形状に形成された連結金具３１がチェーン３３によって略平面状に連結されており、それら連結金具３１の各頂点には鋭角状の切断刃３２が取り付けられている。なお、ハロー部３は、そのような構成に限定されるものではなく、略平面状に連結されたチェーン３３に複数の切断刃３２を取り付けて牧草等の根を切断できるものであれば他の構成を採用してもよい。
【００２２】
整地チェーン部４は、ハロー部３で掻かれた地面を均平に整地するとともに、草地や放牧地に散在する家畜糞を拡散するものである。本実施形態において、整地チェーン部４は、図１から図４に示すように、平面視で略四角形のリング状に形成されており、かつ、そのリング断面が略四角形状に形成された角形リング４１を多数連結させており、全体として略平面状に形成されている。なお、角形リング４１の形状は、上記の形状に限定されるものではなく、略多角形のリング状に形成され、かつ、リング断面が略多角形状に形成されていれば適宜変更してよい。
【００２３】
バランスウェート５は、ハロー部３および整地チェーン部４を平面状に展張させて保持するための錘である。本実施形態において、バランスウェート５は、比重の大きい金属によって略四角柱形状に形成されており、図１から図３に示すように、整地チェーン部４の後端部において、幅方向に所定の間隔を隔てて複数設けられている。
【００２４】
つぎに、以上のような構成を備えた本実施形態のパスチャーハロー１による作用について、図面を参照しつつ説明する。
【００２５】
本実施形態のパスチャーハロー１は、作業機１０の後部に接続されており、使用時にはまず、油圧シリンダ２４を駆動して左右のサイドフレーム２１ｂ，２１ｂを折り畳んだ状態から略水平に拡げて展開する。これにより、左右方向の作業幅がより大きく取れるため、作業効率が向上する。
【００２６】
つぎに、作業機１０を走行させ、草地や放牧地の地表面上においてパスチャーハロー１を牽引する。このとき、図５に示すように、仮に凹凸のある草地や傾斜面上を牽引する場合であっても、後方フレーム２２が上方へ傾斜されているため、後方フレーム２２（フレーム本体２の後部）が地面に接触しない。これにより、フレーム本体２あるいはフレーム本体２と作業機１０との連結部分が過度の衝撃を受けることがなく、破損が防止されるとともに、牧草を深く堀りすぎたり、人体へ大きな震動を与える等の悪影響が低減される。
【００２７】
また、パスチャーハロー１を牽引することにより、ハロー部３に設けられた各切断刃３２が、土壌を鋤きながらマット状に張り巡らされた草の根を切断する。このため、土壌の通気性や通水性を向上させられるとともに、牧草は程よく刺激が与えられて若返り、発根が促されるため、良質な家畜のエサを育成することになる。
【００２８】
また、本実施形態では、ハロー部３の後方に設けられた整地チェーン部４が、ハロー部３で掻かれた地面を均平に整地するとともに、あちこちに散在する家畜糞を適当に拡散する。このため、草地や放牧地には、家畜糞に含まれる窒素やリン酸等の肥料成分が均等的にゆき渡り、牧草のコンディションを向上させられる。
【００２９】
さらに、本実施形態では、整地チェーン部４を構成する角形リング４１が、略四角形状のリング断面を有するため、牽引されると地表面に対してエッジが効く。このため、土壌に対する滑りが低減されて平らにならす効果が向上するとともに、家畜糞を均等に拡散する効果が向上する。
【００３０】
また、本実施形態では、整地チェーン部４の後端部に設けられたバランスウェート５が、土壌に対する幅方向の抵抗を増大する。このため、作業機１０が方向転換するような場合でも、ハロー部３および整地チェーン部４が左右のいずれかに偏るのを防止し、略平面状に展張状態を保持する。これにより、ハロー部３および整地チェーン部４による作用効果を最大限に発揮させられる。
【００３１】
なお、本実施形態では、ハロー部３が吊下チェーン２５ａによって前方フレーム２１に吊り下げられ、整地チェーン部４が吊下チェーン２５ｂによって前方フレーム２１および後方フレーム２２に吊り下げられている。このため、前方フレーム２１および後方フレーム２２を傾斜させても、ハロー部３および整地チェーン部４の接地状態が変化せず、ほぼ全面で地面に作用するようになっている。
【００３２】
一方、本実施形態において、パスチャーハロー１を使用しない場合、すなわち、倉庫に保管する場合や、大型トラック等に収容する場合、図６に示すように、油圧シリンダ２４を駆動し左右のサイドフレーム２１ｂ，２１ｂを折り畳む。これにより、フレーム本体２の左右幅が狭くなるため、保管場所でスペースを小さくできる。なお、図６では、図面を見やすくするため、ハロー部３および整地チェーン部４を平面状に図示している。
【００３３】
また、中型トラック等の移動車に収容する場合のように、パスチャーハロー１が前後方向にはみ出してしまう場合、図７に示すように、補助フレーム２６の先端を外し、各後方フレーム２２を前方フレーム２１側へ折り畳むようにしてもよい。これにより、左右方向および前後方向の機体サイズが最小化し、可搬性および流通性が向上する。なお、図７では、図面を見やすくするため、ハロー部３を平面状に図示し、整地チェーン部４を省略している。
【００３４】
なお、本実施形態では、図６および図７に示すように、収容時や輸送時には、中央フレーム２１ａに設けられた４本の支持脚２７を下方の自立位置に回動させ、パスチャーハロー１を自立させている。このため、パスチャーハロー１の損傷が抑制されるとともに、作業者が移動させる際には取り扱いやすい。
【００３５】
以上のような本実施形態のパスチャーハロー１によれば、以下のような効果を奏する。
１．作業の際に、フレーム本体２が凹凸面や傾斜面からなる地面に接触するのを防止し、フレーム本体２の折れ曲がりやフレーム本体２と作業機１０との連結部分の破損を防止することができる。
２．フレーム本体２の後端部が、必要以上に地面を掘り起こして牧草等の生育を阻害してしまうのを防止することができる。
３．作業機１０を運転する作業者への衝撃を著しく軽減し、作業者の身体への障害や体調不良等の悪影響を低減することができる。
４．土壌の通気性や通水性を高めるとともに牧草の発根を促し、草地を再生することができる。
５．家畜糞に含まれる養分を均等に拡散し、良質な牧草を生育させることができる。
６．肥料を散布した後に使用した場合、肥料成分の流亡を防止し、土中への浸透を促進することができる。
７．牧草等の種子を追播した後に使用した場合、種子を覆土し、発芽効率を向上することができる。
【００３６】
なお、本考案に係るパスチャーハロー１は、前述した実施形態に限定されるものではなく、適宜変更することができる。たとえば、上述した実施形態では、補助フレーム２６を用いて、後方フレーム２２を所定の傾斜角度で固定しているが、この構成に限定されるものではない。サイドフレーム２１ｂと同様、油圧シリンダ２４等によって、傾斜角度を任意に調節しうるように構成してもよい。
【符号の説明】
【００３７】
１  パスチャーハロー
２  フレーム本体
３  ハロー部
４  整地チェーン部
５  バランスウェート
１０  作業機
２１  前方フレーム
２１ａ  中央フレーム
２１ｂ  サイドフレーム
２２  後方フレーム
２３  固定部
２４  油圧シリンダ
２５ａ，２５ｂ  吊下チェーン
２６  補助フレーム
２７  支持脚
３１  連結金具
３２  切断刃
３３  チェーン
４１  角形リング
【図１】
0003164903.tif 000003
【図２】
0003164903.tif 000004
【図３】
0003164903.tif 000005
【図４】
0003164903.tif 000006
【図５】
0003164903.tif 000007
【図６】
0003164903.tif 000008
【図７】
0003164903.tif 000009